(57)【要約】      （修正有）【課題】無線送信機に装備されるＣＤＣＳＳデコード処理装置において、ＣＤＣＳＳコード一致判定の精度を改善する。【解決手段】ＣＤＣＳＳビット判定部１８は、入力したＣＤＣＳＳ抽出用検波信号成分について”１”，”０”と判定したＣＤＣＳＳ判定データを生成する。ＶＩ判定部１９は、ＣＤＣＳＳ抽出用検波信号成分のレベルについて”１”，”０”の中間の無効レベル範囲を設定し、ＣＤＣＳＳ抽出用検波信号成分が無効レベル範囲にあるビット期間のビットは無効”１”と判定したＶＩ判定データを生成する。ＣＤＣＳＳコード判定部２０は、ＣＤＣＳＳ判定データとＣＤＣＳＳリファレンスデータとの排他的論理和を計算し、次に、排他的論理和とＶＩ判定データとの論理和を計算し、さらに、論理和における”１”（エラービット）数をカウントし、カウント値が所定のしきい値未満である場合にのみ、ＣＤＣＳＳコード一致と判定する。【選択図】図１
2011176842.tif 000002
【特許請求の範囲】
【請求項１】
スケルチ制御信号の周波数帯域としてオーディオ周波数帯域と区別されて設定されているスケルチ周波数帯域からスケルチ用検波信号成分を抽出する抽出手段、
前記スケルチ用検波信号成分の信号レベルについて論理”１”及び論理”０”のレベル範囲に対し、それらの中間の”無効”のレベル範囲を設定し、前記スケルチ用検波信号成分の信号レベルが”無効”のレベル範囲にある無効ビット期間を検出する無効ビット期間検出手段、及び
前記無効ビット期間の検出に基づき所定スケルチ制御信号の有無を判定する判定手段、
を備えていることを特徴とするスケルチ制御信号検出装置。
【請求項２】
前記スケルチ用検波信号成分の信号レベルについて一側及び他側の論理”１”及び論理”０”の２個のレベル範囲を設定し、各ビット期間における前記スケルチ用検波信号成分の信号レベルが論理”１”，”０”のどちらのレベル範囲にあるかに基づき判定用ビット列を生成するビット列生成手段、及び
前記無効ビット期間の検出に加えて、さらに、前記判定用ビット列と待ち受けビット列との対比に基づき所定スケルチ制御信号の有無を判定する前記判定手段、
を備えていることを特徴とする請求項１ 記載のスケルチ制御信号検出装置。
【請求項３】
前記無効ビット期間検出手段は、無効ビット期間であるか否かに基づき無効識別ビット列を生成するものであり、
前記判定手段は、
前記判定用ビット列の各ビットが、前記待ち受けビット列の対応ビットの値と異なる値であるか、又は無効識別ビット列の対応ビットが無効ビットであるかする場合、該ビットをエラービットと認定するエラービット認定手段、
エラービットの割合が第１の所定値未満である場合、所定スケルチ制御信号有りと判定するエラービット型判定手段、
を含むことを特徴とする請求項２記載のスケルチ制御信号検出装置。
【請求項４】
前記判定手段は、無効ビット型判定手段を含み、
前記無効ビット型判定手段は、無効識別ビット列における無効ビットの個数をカウントして、カウント数が第２の所定値以上である場合には、所定スケルチ制御信号無しと判定し、
前記エラービット認定手段及び前記エラービット型判定手段は、前記無効ビット型判定手段におけるカウント数が第２の所定値未満である場合に、それらの処理を行うことを特徴とする請求項３記載のスケルチ制御信号検出装置。
【請求項５】
前記無効ビット型判定手段は、
無効識別ビット列を保持するシフトレジスタ、
前記シフトレジスタにおける無効ビットに係るビット値の個数をカウント値とするカウンタ、
各ビット期間ごとに、該ビット期間の前記スケルチ用検波信号成分の振幅レベルが無効又は有効のどちらのレベル範囲にあるかを検出して、前記シフトレジスタの各ビット値をＭＳＢ方向へ１ビットシフトさせ、かつＬＳＢには、検出した無効又は有効に対応するビット値をセットするシフト制御手段、
シフト制御手段が、前記シフトレジスタの各ビットの値をシフトさせるごとに、前記シフトレジスタのＭＳＢからオーバフローするビット値とＬＳＢにセットしたビット値とに基づいて前記カウンタをインクリメント又はデクリメントとするカウンタ制御手段、
を含むことを特徴とする請求項４記載のスケルチ制御信号検出装置。
【請求項６】
スケルチ制御信号の周波数帯域としてオーディオ周波数帯域と区別されて設定されているスケルチ周波数帯域からスケルチ用検波信号成分を抽出する抽出手段、
前記スケルチ用検波信号成分の信号レベルについて論理”１”及び論理”０”のレベル範囲と、それらの中間の無効とのレベル範囲を設定し、各ビット期間の前記スケルチ用検波信号成分の信号レベルがどのレベル範囲にあるかを検出して、各ビット期間を”１”，”０”，”無効”のビット期間に識別する識別手段、及び
”１”，”０”と識別したビット期間について、識別した論理値が待ち受けビット列の対応ビットの論理値と一致しているか否かを調べ、一致しているビット期間の検出に基づきスケルチ制御信号の有無を判定する判定手段、
を備えていることを特徴とするスケルチ制御信号検出装置。
【請求項７】
前記スケルチ制御信号とは、ＣＤＣＳＳに係るスケルチ制御信号であることを特徴とする請求項１〜６のいずれかに記載のスケルチ制御信号検出装置。
【請求項８】
請求項１〜７のいずれかに記載のスケルチ制御信号検出装置を装備することを特徴とする無線機。
【請求項９】
スケルチ制御信号の周波数帯域としてオーディオ周波数帯域と区別されて設定されているスケルチ周波数帯域からスケルチ用検波信号成分を抽出するステップ、
前記スケルチ用検波信号成分の信号レベルについて論理”１”及び論理”０”のレベル範囲に対し、それらの中間の”無効”のレベル範囲を設定し、前記スケルチ用検波信号成分の信号レベルが”無効”のレベル範囲にある無効ビット期間を検出するステップ、及び
前記無効ビット期間の検出に基づき所定スケルチ制御信号の有無を判定するステップ、を備えていることを特徴とするスケルチ制御信号検出方法。
【請求項１０】
スケルチ制御信号の周波数帯域としてオーディオ周波数帯域と区別されて設定されているスケルチ周波数帯域からスケルチ用検波信号成分を抽出するステップ、
前記スケルチ用検波信号成分の信号レベルについて論理”１”及び論理”０”のレベル範囲と、それらの中間の無効とのレベル範囲を設定し、各ビット期間の前記スケルチ用検波信号成分の信号レベルがどのレベル範囲にあるかを検出して、各ビット期間を”１”，”０”，”無効”のビット期間に識別するステップ、及び
”１”，”０”と識別したビット期間について、識別した論理値が待ち受けビット列の対応ビットの論理値と一致しているか否かを調べ、一致しているビット期間の検出に基づきスケルチ制御信号の有無を判定する判定手段、
を備えていることを特徴とするスケルチ制御信号検出方法。
【発明の詳細な説明】
【技術分野】
【０００１】
本発明は、例えばＣＤＣＳＳ（ContiuousDigital-Controlled-Squelch-System）等のスケルチ制御信号の有無を検出する装置及び方法に係り、詳しくはノイズからの影響を抑制してスケルチ制御信号を正確に検出するスケルチ制御信号検出装置、無線機及びスケルチ制御信号検出方法に関するものである。
【背景技術】
【０００２】
無線機で使用されるシグナリングの一つにＣＤＣＳＳがある。ＣＤＣＳＳは、送信機では、音声信号に１３４．４ｂｐｓ、Ｇｏｌａｙ（２３，１２）符号を重畳して、送信し、受信機は、受信した検出符号を所定の待ち受け符号と対比して、スケルチを制御するシステムである。
【０００３】
特許文献１は、送信側においてＰＴＴ（PushToTalk）が操作されている期間、送信側から受信側へＣＤＣＳＳに係るスケルチ制御信号（以下、「ＣＤＣＳＳ信号」と適宜、略称する。）をＦＳＫ変調で送信し、受信側では、該ＣＤＣＳＳ信号の受信期間中は、スケルチ回路を開いて、送信側からの音声を出力することを開示する。
【０００４】
図１５は従来の無線受信機におけるＣＤＣＳＳデコード処理装置１５０のブロック図である。ＣＤＣＳＳデコード処理装置１５０において、後述の本発明の最良の形態で説明するＣＤＣＳＳデコード処理装置１０（図１）の要素と同一の要素については、ＣＤＣＳＳデコード処理装置１０のものと同符号で指示して、説明は省略し、ＣＤＣＳＳデコード理装置１５０の主要点について説明する。
【０００５】
ＣＤＣＳＳ検査部１５１はＣＤＣＳＳビット判定部１５２及びＣＤＣＳＳコード判定部１５３を備えている。ＣＤＣＳＳ検査部１５１では、直流追従部１４からの入力信号（以下、適宜、「ＣＤＣＳＳ抽出用検波信号成分」という。） に対してＣＤＣＳＳビット判定部１５２がＣＤＣＳＳビット判定を行い、次に、ＣＤＣＳＳコード判定部１５３がＣＤＣＳＳビット判定部１５２からの入力に対してＣＤＣＳＳコード判定を行うようになっている。ＣＤＣＳＳビット判定とは、ＣＤＣＳＳ抽出用検波信号成分のレベルを所定のしきい値と対比して、ＣＤＣＳＳ抽出用検波信号成分の各ビット期間の値が”１”か”０”かを判定する処理である。
【０００６】
図１６はＣＤＣＳＳデコード処理装置１５０におけるＣＤＣＳＳビット判定の説明図である。図１６において上段はＣＤＣＳＳ抽出用検波信号成分（ＣＤＣＳＳビット判定部１５２の入力）、下段はビット判定結果としてのＣＤＣＳＳ判定データ信号（ＣＤＣＳＳビット判定部１５２の出力）を示している。ＣＤＣＳＳ抽出用検波信号成分のレベルが基準の０に対して＋であるならば、二値論理値の”１”と判定し、−であるならば、”０”と判定している。こうして、ＣＤＣＳＳビット判定部１５２の出力として、レベルが判定結果の”１”，”０”に対応付けられているＣＤＣＳＳ判定データ信号が生成される。
【０００７】
ＣＤＣＳＳコード判定部１５３では、ＣＤＣＳＳ判定データ信号の２３ビットを１個のＣＤＣＳＳ判定データとし、該ＣＤＣＳＳ判定データの各ビットの値について２３ビットの所定の待ち受けＣＤＣＳＳデータの対応ビットの値に一致するか否かを判定し、エラービット数（値が不一致のビットの数）が所定のしきい値以下であるならば、ＣＤＣＳＳコード一致と、すなわち該無線受信機に割り当てられたＣＤＣＳＳ信号を受信したと、判定する。
【先行技術文献】
【特許文献】
【０００８】
【特許文献１】特開２０００−３４１０４６号公報
【発明の概要】
【発明が解決しようとする課題】
【０００９】
このようなＣＤＣＳＳデコード処理装置１５０を装備する無線機に、オーディオ周波数帯域の断続的なシグナリング（例えばＤＴＭＦ（DialToneMultiFrequency）信号やＭＳＫ（MinimumShiftKeyig）信号）が入力すると、ＣＤＣＳＳ抽出用検波信号成分中にそれらのシグナリングに起因するノイズが混入することになる。そして、該ノイズの断続的な周期がたまたまＣＤＣＳＳコードに類似している場合には、ＣＤＣＳＳコード一致と誤判定される虞がある。
【００１０】
図１７はＣＤＣＳＳデコード処理装置１５０のＣＤＣＳＳコード判定部１５３におけるＣＤＣＳＳコード判定にエラーを引き起こす可能性のあるＤＴＭＦ信号の一例を示している。図１８は図１７のような断続的なＤＴＭＦ信号がＣＤＣＳＳデコード処理装置１５０に入力したときのＣＤＣＳＳ抽出用検波信号成分及びそれについてＣＤＣＳＳビット判定を行って生成されたＣＤＣＳＳ判定データ信号を示している。従来のＣＤＣＳＳデコード処理装置１５０では、ＣＤＣＳＳビット判定部１５２は、その入力信号のレベルが基準の０に対して＋，−であるかにより”１”，”０”と判定するので、ＤＴＭＦ信号に起因するノイズがＣＤＣＳＳ抽出用検波信号成分となり、かつ基準レベルに対する該ＣＤＣＳＳ抽出用検波信号成分の上下変動が真正のＣＤＣＳＳ信号に係るＣＤＣＳＳ抽出用検波信号成分と周期的に類似していると、ＣＤＣＳＳコード判定部１５３が、ノイズに係るＣＤＣＳＳ抽出用検波信号成分に対して、誤ってＣＤＣＳＳコード一致判定を下してしまう虞がある。
【００１１】
特許文献１は、受信側におけるスケルチ制御信号のデコード処理には言及するものの、オーディオ周波数帯域のシグナリング信号に起因するノイズがＣＤＣＳＳコード一致判定に与える影響を抑制する対策については言及していない。
【００１２】
本発明の目的は、変動が真正のスケルチ制御信号の変動と紛らわしいノイズがスケルチ用検波信号成分となっても、スケルチ制御信号の有無を正確に検出するスケルチ制御信号検出装置、無線機及びスケルチ制御信号検出方法を提供することである。
【課題を解決するための手段】
【００１３】
本発明のスケルチ制御信号検出装置は次のものを有している。
スケルチ制御信号の周波数帯域としてオーディオ周波数帯域と区別されて設定されているスケルチ周波数帯域からスケルチ用検波信号成分を抽出する抽出手段、
スケルチ用検波信号成分の信号レベルについて論理” １ ” 及び論理” ０ ” のレベル範囲に対し、それらの中間の” 無効” のレベル範囲を設定し、スケルチ用検波信号成分の信号レベルが” 無効” のレベル範囲にある無効ビット期間を検出する無効ビット期間検出手段、及び
無効ビット期間の検出に基づき所定スケルチ制御信号の有無を判定する判定手段。
【００１４】
本発明の別のスケルチ制御信号検出装置は次のものを備えている。
スケルチ制御信号の周波数帯域としてオーディオ周波数帯域と区別されて設定されているスケルチ周波数帯域からスケルチ用検波信号成分を抽出する抽出手段、
スケルチ用検波信号成分の信号レベルについて論理”１”及び論理”０”のレベル範囲と、それらの中間の無効とのレベル範囲を設定し、各ビット期間のスケルチ用検波信号成分の信号レベルがどのレベル範囲にあるかを検出して、各ビット期間を”１”，”０”，”無効”のビット期間に識別する識別手段、及び
”１”，”０”と識別したビット期間について、識別した論理値が待ち受けビット列の対応ビットの論理値と一致しているか否かを調べ、一致しているビット期間の検出に基づきスケルチ制御信号の有無を判定する判定手段。
【００１５】
本発明の無線機は、前述のスケルチ制御信号検出装置又は別のスケルチ制御信号検出装置を装備する。
【００１６】
本発明のスケルチ制御信号検出方法は次のステップを備えている。
スケルチ制御信号の周波数帯域としてオーディオ周波数帯域と区別されて設定されているスケルチ周波数帯域からスケルチ用検波信号成分を抽出するステップ、
スケルチ用検波信号成分の信号レベルについて論理” １ ” 及び論理” ０ ” のレベル範囲に対し、それらの中間の” 無効” のレベル範囲を設定し、スケルチ用検波信号成分の信号レベルが” 無効” のレベル範囲にある無効ビット期間を検出するステップ、及び
無効ビット期間の検出に基づき所定スケルチ制御信号の有無を判定するステップ。
【００１７】
本発明の別のスケルチ制御信号検出方法は次のステップを備えている。
スケルチ制御信号の周波数帯域としてオーディオ周波数帯域と区別されて設定されているスケルチ周波数帯域からスケルチ用検波信号成分を抽出するステップ、
スケルチ用検波信号成分の信号レベルについて論理” １ ” 及び論理” ０ ” のレベル範囲と、それらの中間の無効とのレベル範囲を設定し、各ビット期間のスケルチ用検波信号成分の信号レベルがどのレベル範囲にあるかを検出して、各ビット期間を” １ ” ， ” ０ ” ，” 無効” のビット期間に識別するステップ、及び  ” １ ” ， ” ０ ” と識別したビット期間について、識別した論理値が待ち受けビット列の対応ビットの論理値と一致しているか否かを調べ、一致しているビット期間の検出に基づきスケルチ制御信号の有無を判定する判定手段。
【発明の効果】
【００１８】
本発明によれば、スケルチ周波数帯域の検波信号成分のレベル判定において、” 無効”のレベル範囲を設定し、該検波信号成分が” 無効” のレベル範囲にある場合には、レベル判定を無効として、該検波信号成分からの抽出コードを評価するので、該抽出コードについての誤った評価を抑制することができる。
【図面の簡単な説明】
【００１９】
【図１】ＣＤＣＳＳデコード処理装置のブロック図である。
【図２】ＣＤＣＳＳデコード処理装置における処理内容のフローチャートである。
【図３】ＣＤＣＳＳ検査部の処理についての基本概念を説明する図である。
【図４】ＤＴＭＦ信号からのノイズにより形成されるＣＤＣＳＳ抽出用検波信号成分と該ＣＤＣＳＳ抽出用検波信号成分についてのビット判定信号との関係を示す図である。
【図５】ＣＤＣＳＳビット判定処理ルーチンの詳細なフローチャートである。
【００２０】
【図６】ＶＩ判定処理ルーチンの詳細なフローチャートである。
【図７】ＣＤＣＳＳコードチェックルーチンの詳細なフローチャートである。
【図８】別のＣＤＣＳＳコードチェックルーチンの詳細なフローチャートである。
【図９】図８のＣＤＣＳＳコードチェックにおける無効ビット数についてそれをカウントするルーチンのフローチャートである。
【図１０】図９のルーチンで使用する２３ビットのＶＩ判定データ保持用のシフトレジスタを示す図である。
【００２１】
【図１１】スケルチ制御信号検出装置のブロック図である。
【図１２】別のスケルチ制御信号検出装置のブロック図である。
【図１３】スケルチ制御信号検出方法のフローチャートである。
【図１４】スケルチ制御信号検出方法のフローチャートである。
【図１５】従来の無線受信機におけるＣＤＣＳＳデコード処理装置のブロック図である。
【００２２】
【図１６】従来のＣＤＣＳＳデコード処理装置におけるＣＤＣＳＳビット判定の説明図である。
【図１７】従来のＣＤＣＳＳデコード処理装置のＣＤＣＳＳコード判定部におけるＣＤＣＳＳコード判定にエラーを引き起こす可能性のあるＤＴＭＦ信号の一例を示す図である。
【図１８】図１７のような断続的なＤＴＭＦ信号がＣＤＣＳＳデコード処理装置に入力したときのＣＤＣＳＳ抽出用検波信号成分及びそれについてＣＤＣＳＳビット判定を行って生成されたＣＤＣＳＳ判定データ信号を示す図である。
【発明を実施するための形態】
【００２３】
図１はＣＤＣＳＳデコード処理装置１０のブロック図である。該ＣＤＣＳＳデコード処理装置１０は無線通信機（図示せず）に装備される。検波信号は、無線通信機の検波回路（図示せず）から出力され、ローパスフィルタ１１へ入力される。ローパスフィルタ１１は、カットオフ周波数を３００Ｈｚに設定され、３００Ｈｚ以下の検波信号成分のみを間引き部１２へ出力する。該無線通信機では、ベースバンド信号の３００Ｈｚを境に、それより上のオーディオ周波数帯域と、それより下のスケルチ周波数帯域とに区分されている。ローパスフィルタ１１から間引き部１２へ送られる検波信号成分は、スケルチ周波数帯域の信号成分となっている。
【００２４】
間引き部１２は、ローパスフィルタ１１からの入力信号に対して、間引きを行って、サンプリング周波数を下げる。ローパスフィルタ１３は、オーディオ信号からのブロッキングを防止するために、カットオフ周波数を、ローパスフィルタ１１のカットオフ周波数３００Ｈｚより適当に低い所定値に設定される。該所定値は、ＣＤＣＳＳ信号と共に、ターンオフ信号がローパスフィルタ１３を通過できるものでなければならない。
【００２５】
ＣＤＣＳＳ検査部１７は、ＣＤＣＳＳビット判定部１８、ＶＩ（Valid/Invalid：有効・無効）判定部１９及びＣＤＣＳＳコード判定部２０を備えている。ＣＤＣＳＳビット判定部１８、ＶＩ判定部１９及びＣＤＣＳＳコード判定部２０の処理内容は、それぞれ図５、図６及び図７に関連して後述する。
【００２６】
図２はＣＤＣＳＳデコード処理装置１０における処理内容のフローチャートである。Ｓ３５，Ｓ３６，Ｓ３７，Ｓ３８の各ステップは図１のローパスフィルタ１１、間引き部１２、ローパスフィルタ１３及び直流追従部１４の処理に対応している。また、Ｓ４１，Ｓ４２，Ｓ４３の各ステップは図１のＣＤＣＳＳビット判定部１８、ＶＩ判定部１９及びＣＤＣＳＳコード判定部２０の処理に対応している。Ｓ４１，Ｓ４２，Ｓ４３の具体的処理内容は、図５、図６及び図７に関連して後述する。
【００２７】
図３はＣＤＣＳＳ検査部１７の処理についての基本概念を説明する図である。図３において、上側のアナログ信号はＣＤＣＳＳ検査部１７の入力信号（以下、「ＣＤＣＳＳ抽出用検波信号成分」という。） であり、下側は該ＣＤＣＳＳ抽出用検波信号成分についてのビット判定信号である。従来のＣＤＣＳＳ検査部１５１（図１５）におけるＣＤＣＳＳ抽出用検波信号成分のビット判定では、ＣＤＣＳＳ抽出用検波信号成分のレベルが基準の０より＋側か−側かに応じて”１”，”０”と判定していただけであったのに対し、ＣＤＣＳＳ検査部１７では、ＣＤＣＳＳ抽出用検波信号成分のレベルについて、−Ｆth〜＋Ｆth（ただし、Ｆthは正の所定値。）の無効レベル範囲を設定し、ＣＤＣＳＳ抽出用検波信号成分のレベルが該無効レベル範囲にある場合には、”無効”（invalid）の判定を行うようになっている。
【００２８】
図４ はＤＴＭＦ信号からのノイズにより形成されるＣＤＣＳＳ抽出用検波信号成分と該ＣＤＣＳＳ抽出用検波信号成分についてのビット判定信号との関係を示している。図４のＤＴＭＦ信号は、図１６のＤＴＭＦと同一である。−Ｆth〜＋Ｆthの無効レベル範囲を導入したことにより、ビット判定信号には”１”，”０”のどちらにも属さない信号部分が現れ、該信号部分では、判定結果信号に係るＣＤＣＳＳデータは、ＣＤＣＳＳリファレンスデータ（待ち受けＣＤＣＳＳデータ） と不一致となるので、図１６のように、ＤＴＭＦ信号に係るＣＤＣＳＳ抽出用検波信号成分がＣＤＣＳＳ信号と誤って判断される事態を回避できる。
【００２９】
なお、図３及び図４のビット判定信号は、ＣＤＣＳＳ抽出用検波信号成分のレベル＜−Ｆthの場合、”０”のレベルとなり、−Ｆth≦ＣＤＣＳＳ抽出用検波信号成分のレベル≦＋Ｆthの場合、”無効”のレベルとなり、＋Ｆth＜ＣＤＣＳＳ抽出用検波信号成分のレベルの場合、”１”のレベルとなっている。このような”０”，”１”，”無効”の３論理値のビット判定信号を利用して、ＣＤＣＳＳの一致判定を行うこともできるが、該ＣＤＣＳＳ検査部１７は、後の図５〜図９の説明から明らかとなるように、”無効”の判定を利用してはいるものの、図３及び図４の３論理値のビット判定信号は使用していない。
【００３０】
図５はＣＤＣＳＳビット判定処理ルーチン（図２のＳ４１）の詳細なフローチャートである。なお、該ＣＤＣＳＳビット判定処理ルーチンはＣＤＣＳＳビット判定部１８の処理内容に対応している。該ＣＤＣＳＳビット判定処理ルーチンの内容は、各ビット期間のビット値を、ＣＤＣＳＳ抽出用検波信号成分のレベル＜０であれば、”０”と判定し、ＣＤＣＳＳ抽出用検波信号成分のレベル≧０であれば、”１”と判定するものである。該ＣＤＣＳＳビット判定処理ルーチンは、ＣＤＣＳＳ信号の各ビット期間に１回のビット判定が行われるように、例えば、ビット期間に同期して起動する。
【００３１】
Ｓ４８では、ＣＤＣＳＳ抽出用検波信号成分のレベルと０とを対比する。そして、ＣＤＣＳＳ抽出用検波信号成分のレベル≧０であれば、Ｓ４９へ進み、ＣＤＣＳＳ抽出用検波信号成分のレベル＜０であれば、Ｓ５０へ進む。Ｓ４９では、ビット判定結果を”１”とし、Ｓ５０では、ビット判定結果を”０”とする。Ｓ５１では、今回のビット判定結果を反映する。「反映」の具体的内容は、例えば、２３ビットのビット判定データを保持する２３ビットのシフトレジスタを用意し、判定が行われるごとに、該シフトレジスタをＭＳＢ（MostSignificantBit）の方へ１ビット、シフトしつつ、今回の判定結果を該シフトレジスタのＬＳＢ（LeastSignificantBit）にセットすることである。
【００３２】
図６はＶＩ（Valid/Invalid：有効・無効）判定処理ルーチン（図２のＳ４２）の詳細なフローチャートである。なお、該ＶＩ判定処理ルーチンはＶＩ判定部１９の処理内容に対応している。該Ｖ Ｉ 判定処理ルーチンの内容は、｜ＣＤＣＳＳ抽出用検波信号成分のレベル｜はＣＤＣＳＳ抽出用検波信号成分のレベルの絶対値を意味するものとして、各ビット期間のビット判定に関して、｜ＣＤＣＳＳ抽出用検波信号成分のレベル｜と所定のしきい値とを対比し、該絶対値が該しきい値以上であれば、”０”（＝”有効”）と判定し、該絶対値が該しきい値未満であれば、”１”（＝”無効”）と判定するものである。
【００３３】
Ｓ５６では、｜ＣＤＣＳＳ抽出用検波信号成分のレベル｜を検出する。Ｓ５７では、｜ＣＤＣＳＳ抽出用検波信号成分のレベル｜としきい値とを対比し、前者≧後者であれば、
Ｓ５８へ進み、前者＜後者であれば、Ｓ５９へ進む。Ｓ５８では、図５のＳ４９，Ｓ５０のビット判定は”０”（＝”有効”）とし、Ｓ５９では、”１”（＝”無効”）とする。
【００３４】
Ｓ６０では、Ｓ５８，Ｓ５９の判定結果をＶＩ判定データに反映する。「反映」の具体的内容は、例えば、２３ビットのＶＩ判定データを保持する２３ビットのシフトレジスタを用意し、判定が行われるごとに、該シフトレジスタをＭＳＢ（MostSignificantBit）の方へ１ビット、シフトしつつ、該判定結果を該シフトレジスタのＬＳＢ（LeastSignificantBit）にセットすることである。
【００３５】
該ＶＩ判定処理ルーチンのＳ５７で採用されるしきい値は、例えば、Ｆth（図３）である。なお、図面において、しきい値は、Ｓ５７の外、Ｓ６７，Ｓ７２でも使用されているが、それらしきい値は独立に設定できる。また、前述の図３において、−Ｆth及び＋Ｆthに代えて、それぞれ−Ｆthl及び＋Ｆthu（Ｆthl≠Ｆthu。Ｆthl，Ｆthu＞０）とすることもできる。
【００３６】
図７はＣＤＣＳＳコードチェックルーチン（図２のＳ４３）の詳細なフローチャートである。なお、該ＣＤＣＳＳコードチェックルーチン（後述の図８のＣＤＣＳＳコードチェックルーチンも含む）はＣＤＣＳＳコード判定部２０の処理内容に対応している。該ＣＤＣＳＳコードチェックルーチンの内容は、Ｓ５１（図５）で反映した２３ビットのビット判定データと、Ｓ ６ ０ で反映した２ ３ ビットのＶ Ｉ 判定データとの対応ビット同士を対比して、２３ビット中のエラービット数を計算し、エラービット数が所定のしきい値未満であるならば、ＣＤＣＳＳコード一致（受信機に対応付けられたＣＤＣＳＳ信号有り）と判定し、所定のしきい値以上であるならば、ＣＤＣＳＳコード不一致（受信機に対応付けられたＣＤＣＳＳ信号無し）と判定することである。
【００３７】
Ｓ６４では、２３ビットのＣＤＣＳＳ判定データ（Ｓ５１で生成）と２３ビットのＣＤＣＳＳリファレンスデータとの対応ビット同士の排他的論理和（ＸＯＲ）を計算する。排他的論理和の計算結果は、２３ビットの排他的論理和データとして保持する。２３ビットのＣＤＣＳＳ判定データと２３ビットのＣＤＣＳＳリファレンスデータとの対応ビット同士を対比して、ビット値が一致している場合には、２３ビットの排他的論理和データの対応ビットの値は”０”となり、不一致である場合には、２３ビットの排他的論理和データの対応ビットの値は”１”となる。
【００３８】
Ｓ６５では、２３ビットの排他的論理和データと２３ビットのＶＩ判定データとの対応ビット同士の論理和（ＯＲ）を計算する。論理和の計算結果は、２３ビットのエラー判定論理和データとして保持する。２３ビットのエラー判定論理和データの各ビットの値は、２３ビットの排他的論理和データの対応ビットが”１”であるか（＝ＣＤＣＳＳ判定データにおいてＣＤＣＳＳリファレンスデータと不一致であるビット）又は２３ビットのＶＩ判定データの対応ビットが”１”であるか（＝”無効”のビット）であれば、”１”となる。
【００３９】
Ｓ６６では、２３ビットのエラー判定論理和データのビット値が”１”のビット数をエラービット数としてカウントする。Ｓ６７では、エラービット数≦所定のしきい値であるか否かを判定し、判定が正であれば、Ｓ６８へ進み、否であれば、Ｓ６９へ進む。Ｓ６８では、ＣＤＣＳＳコード一致と判定し、Ｓ６９では、ＣＤＣＳＳコード不一致と判定する。
【００４０】
図８は別のＣＤＣＳＳコードチェックルーチンの詳細なフローチャートである。図８のフローチャートにおいて、図７のフローチャートのステップと同一の処理内容のステップは図７のステップと同一のステップ番号を付け、説明は省略する。図７のフローチャートに対する図８のフローチャートの相違点は、Ｓ６５が削除され、代わりに、Ｓ６４の前に、Ｓ７１，Ｓ７２が追加されたことである。
【００４１】
Ｓ７１では、２３ビットのＶＩ判定データ中の”１”となっているビット、すなわち無効ビットの数をカウントする。Ｓ７２では、カウントした無効ビット数がしきい値未満であるか否かを判定する。該判定の結果が正であればＳ６４へ進み、否であれば、Ｓ６９へ進む。
【００４２】
図８の別のＣＤＣＳＳコードチェックルーチンでは、無効ビットの多いＣＤＣＳＳ抽出用検波信号成分は、Ｓ７２の否の判定により、Ｓ６４，Ｓ６５の処理対象から除外されるので、処理の迅速化及び処理負荷の低減が図られる。
【００４３】
図９ はＳ７１，Ｓ７２（図８）で使用した無効ビット数についてそれをカウントするルーチンのフローチャートである。図１０は図９のルーチンで使用する２３ビットのＶＩ判定データ保持用のシフトレジスタ８０を示している。図８において、上段、中段及び下段のシフトレジスタ８０の各内容は、それぞれＳ８１の処理前のもの、Ｓ８１の処理後でＳ８２の処理前のもの、及びＳ８２の処理後のものである。
【００４４】
Ｓ８１では、シフトレジスタ８０をＭＳＢの方へ１ビットシフトする。これにより、シフト前におけるシフトレジスタ８０のＭＳＢのデータはオーバフローによりシフトレジスタ８０から失われる。また、シフト後のシフトレジスタ８０のＬＳＢには、Ｓ８２において、今回のＶＩ判定の結果を挿入する。Ｓ８３では、ＶＩカウンタのカウント数を更新する。この更新では、Ｓ８２においてＬＳＢにセットされた論理値−Ｓ８１においてシフトレジスタ８０のＭＳＢからオーバフローした論理値がＶＩカウンタに加算される。
【００４５】
図１０のものでは、ＶＩカウンタのカウント数はＳ８１前において４であり、「Ｓ８２においてＬＳＢに挿入された論理値」−「Ｓ８１においてシフトレジスタ８０のＭＳＢからオーバフローした論理値」は−１（＝０−１）であるので、Ｓ８４の後では、ＶＩカウンタのカウント数は３となる。
【００４６】
図１１はスケルチ制御信号検出装置１００のブロック図である。スケルチ制御信号検出装置１００は、抽出手段１０１、無効ビット期間検出手段１０２及び判定手段１０３を備えている。スケルチ制御信号検出装置１００の具体例はＣＤＣＳＳデコード処理装置１０（図１）である。スケルチ制御信号検出装置１００は、無線通信機、特に無線通信機の受信機部分に装備される。
【００４７】
抽出手段１０１は、スケルチ制御信号の周波数帯域としてオーディオ周波数帯域と区別されて設定されているスケルチ周波数帯域からスケルチ用検波信号成分を抽出する。無効ビット期間検出手段１０２ は、スケルチ用検波信号成分の信号レベルについて論理”１”及び論理”０”のレベル範囲に対し、それらの中間の”無効”のレベル範囲を設定し、スケルチ用検波信号成分の信号レベルが”無効”のレベル範囲にある無効ビット期間を検出する。判定手段１０３は、無効ビット期間の検出に基づき所定スケルチ制御信号の有無を判定する。
【００４８】
スケルチ制御信号とは例えばＣＤＣＳＳに係るスケルチ制御信号である。論理”１”及び論理”０”のレベル範囲は、前述の図３では、”無効”のレベル範囲に対してそれぞれ上側及び下側となっているが、逆であってもよいとする。
【００４９】
判定手段１０３が、判定の基礎としている無効ビット期間の検出には、無効ビット期間の個数又は無効ビット期間の比率の検出を含むものとする。さらに、無効ビット期間の個数の検出には、所定時間における無効ビット期間の個数又は所定数（例：スケルチ制御信号に設定されているビット数。ＣＤＣＳＳ信号では２３。）のビット期間における無効ビット期間の個数の検出を含むものとする。無効ビット期間の比率の検出には、連続するビット期間の所定数に対する無効ビット期間の個数の比率又は単位時間における無効ビット期間の出現確率の検出を含むものとする。図６のＳ６６では、２３ビットのＶＩ判定データを生成しており、ＶＩ判定データ中の無効ビットの数とは、２３に対する無効ビット期間の個数に対応している。
【００５０】
こうして、スケルチ制御信号に似通った変動をもつノイズ信号がスケルチ周波数帯域に現れても、該ノイズ信号をスケルチ制御信号と誤って判断する事態を回避できる。
【００５１】
スケルチ制御信号検出装置１００は、さらに、ビット列生成手段１０７を備えることができる。ビット列生成手段１０７は、スケルチ用検波信号成分の信号レベルについて一側及び他側の論理”１”及び論理”０”の２個のレベル範囲を設定し、各ビット期間におけるスケルチ用検波信号成分の信号レベルが論理”１”，”０”のどちらのレベル範囲にあるかに基づき判定用ビット列を生成する。判定手段１ ０ ３ は、無効ビット期間の検出に加えて、さらに、判定用ビット列と待ち受けビット列との対比に基づき所定スケルチ制御信号の有無を判定する。
【００５２】
ビット列生成手段１０７の具体例はＣＤＣＳＳビット判定部１８（図１）及び図５のＣＤＣＳＳビット判定処理ルーチンである。
【００５３】
好ましくは、無効ビット期間検出手段１０２は、無効ビット期間であるか否かに基づき無効識別ビット列を生成するものであり、判定手段１０３は、エラービット認定手段１１０及びエラービット型判定手段１１１を含む。エラービット認定手段１１０は、判定用ビット列の各ビットが、待ち受けビット列の対応ビットの値と異なる値であるか、又は無効識別ビット列の対応ビットが無効ビットであるかする場合、該ビットをエラービットと認定する。エラービット型判定手段１１１は、エラービットの割合が第１の所定値未満である場合、所定スケルチ制御信号有りと判定する。
【００５４】
無効ビット期間検出手段１０２の処理内容は、Ｓ４１（図２）に対応し、エラービット認定手段１１０の処理内容はＳ６４〜Ｓ６６（図７）に対応し、エラービット型判定手段１１１の処理内容は、Ｓ６７，Ｓ６８（図７）に対応している。
【００５５】
判定手段１０３は、無効ビット型判定手段１１２を含むことができる。無効ビット型判定手段１１２は、無効識別ビット列における無効ビットの個数をカウントして、カウント数が第２の所定値以上である場合には、所定スケルチ制御信号無しと判定する。エラービット認定手段１１０及びエラービット型判定手段１１１は、無効ビット型判定手段１１２におけるカウント数が第２の所定値未満である場合に限り、それらの処理を行う。
【００５６】
無効ビット型判定手段１１２の処理内容はＳ７１，Ｓ７２（図８）に対応する。エラービット認定手段１１０及びエラービット型判定手段１１１は、無効ビット型判定手段１１２において、所定スケルチ制御信号が無しと判定できなかった場合に、処理を行うので、判定手段１０３の負荷は軽減される。
【００５７】
好ましくは、無効ビット型判定手段１１２は、シフトレジスタ１１３、カウンタ１１４、シフト制御手段１１５及びカウンタ制御手段１１６を含む。シフトレジスタ１１３は無効識別ビット列を保持する。カウンタ１１４は、シフトレジスタにおける無効ビットに係るビット値の個数をカウント値とする。
【００５８】
シフト制御手段１１５は、各ビット期間ごとに、該ビット期間のスケルチ用検波信号成分の振幅レベルが無効又は有効のどちらのレベル範囲にあるかを検出して、シフトレジスタの各ビット値をＭＳＢ方向へ１ビットシフトさせ、かつＬＳＢには、検出した無効又は有効に対応するビット値をセットする。
【００５９】
カウンタ制御手段１１６は、シフト制御手段１１５が、シフトレジスタ１１３の各ビットの値をシフトさせるごとに、シフトレジスタ１１３のＭＳＢからオーバフローするビット値とＬＳＢにセットしたビット値とに基づいてカウンタ１１４をインクリメント又はデクリメントとする。
【００６０】
シフト制御手段１１５の処理内容はＳ８１，Ｓ８２（図９）に対応している。カウンタ制御手段１１６の処理内容はＳ８３，Ｓ８４（図９）に対応している。カウンタ１１４のカウント値は、各ビット期間ごとに差分だけインクリメント又はデクリメントとすることになるので、カウント値の要求ごとにシフトレジスタ１１３の”無効”の個数を一からカウントするより、カウント処理が能率的となる。
【００６１】
図１２は別のスケルチ制御信号検出装置１２５のブロック図である。スケルチ制御信号検出装置１２５は、抽出手段１２６、識別手段１ ２ ７ 及び判定手段１ ２ ８ を備えている。
スケルチ制御信号検出装置１ ２ ５ は、スケルチ制御信号の周波数帯域としてオーディオ周波数帯域と区別されて設定されているスケルチ周波数帯域からスケルチ用検波信号成分を抽出する。
【００６２】
識別手段１２７は、スケルチ用検波信号成分の信号レベルについて論理”１”及び論理”０”のレベル範囲と、それらの中間の無効とのレベル範囲を設定し、各ビット期間のスケルチ用検波信号成分の信号レベルがどのレベル範囲にあるかを検出して、各ビット期間を”１”，”０”及び”無効”のビット期間に識別する。
【００６３】
判定手段１２８は、”１”，”０”と識別したビット期間について、識別した論理値が待ち受けビット列の対応ビットの論理値と一致しているか否かを調べ、一致しているビット期間の検出に基づきスケルチ制御信号の有無を判定する。
【００６４】
スケルチ制御信号検出装置１２５も、スケルチ制御信号検出装置１００と同様に、典型的には、無線通信機、特に無線通信機の受信機部分に装備される。スケルチ制御信号とは例えばＣＤＣＳＳに係るスケルチ制御信号である。論理”１”及び論理”無効”のレベル範囲は、前述の図３では、”無効”のレベル範囲に対してそれぞれ上側及び下側となっているが、逆に設定してよいとする。
【００６５】
判定手段１２８における判定の基礎となっている「一致しているビット期間の個数」は、例えば、連続する所定個数（例：スケルチ制御信号に設定されているビット数。ＣＤＣＳＳ信号では２３。）のビット期間の内で、「一致しているビット期間の個数」である。
【００６６】
図１３はスケルチ制御信号検出方法１３３のフローチャートである。Ｓ１３４では、スケルチ制御信号の周波数帯域としてオーディオ周波数帯域と区別されて設定されているスケルチ周波数帯域からスケルチ用検波信号成分を抽出する。
【００６７】
Ｓ１３５では、スケルチ用検波信号成分の信号レベルについて論理”１”及び論理”０”のレベル範囲に対し、それらの中間の”無効”のレベル範囲を設定し、スケルチ用検波信号成分の信号レベルが”無効”のレベル範囲にある無効ビット期間を検出する。Ｓ１３６では、無効ビット期間の検出に基づき所定スケルチ制御信号の有無を判定する。
【００６８】
スケルチ制御信号検出方法１３３及び次のスケルチ制御信号検出方法１４０（図１４）の場合においても、スケルチ制御信号検出装置１００，１２５の場合と同様に、スケルチ制御信号とは例えばＣＤＣＳＳに係るスケルチ制御信号である。論理”１”及び論理”０”のレベル範囲は、前述の図３では、”無効”のレベル範囲に対してそれぞれ上側及び下側となっているが、逆であってもよいとする。
【００６９】
スケルチ制御信号検出装置１００の抽出手段１０１、無効ビット期間検出手段１０２及び判定手段１０３の具体的処理内容は、それぞれＳ１３４，Ｓ１３５，Ｓ１３６の具体的手順内容として適用可能である。スケルチ制御信号検出方法１３３において、ビット列生成手段１０７の処理内容に相当するステップを付加することも可能である。
【００７０】
図１４はスケルチ制御信号検出方法１４０のフローチャートである。Ｓ１４１では、スケルチ制御信号の周波数帯域としてオーディオ周波数帯域と区別されて設定されているスケルチ周波数帯域からスケルチ用検波信号成分を抽出する。
【００７１】
Ｓ１４２では、スケルチ用検波信号成分の信号レベルについて論理”１”及び論理”０”のレベル範囲と、それらの中間の無効とのレベル範囲を設定し、各ビット期間のスケルチ用検波信号成分の信号レベルがどのレベル範囲にあるかを検出して、各ビット期間を”１”，”０”，”無効”のビット期間に識別する。Ｓ１４３では、”１”，”０”と識別したビット期間について、識別した論理値が待ち受けビット列の対応ビットの論理値と一致しているか否かを調べ、一致しているビット期間の検出に基づきスケルチ制御信号の有無を判定する。
【００７２】
スケルチ制御信号検出装置１２５の抽出手段１２６、識別手段１２７及び判定手段１２８の具体的内容は、それぞれＳ１４１，Ｓ１４２，Ｓ１４３の具体的手順内容として適用可能である。
【００７３】
本発明を最良の形態について説明したが、本発明は、これに限定されるものではなく、発明の要旨を逸脱しない範囲で、最良の形態における各構成要素を変形して具体化できる。また、発明の要旨を逸脱しない範囲で、最良の形態に開示されている複数の構成要素を便宜、組み合わせて、追加したり、いくつかの構成要素を削除したりして、種々の発明を形成することができる。さらに、開示した複数の実施形態間で、所定の構成要素を選択し、それらを組み合わせても、種々の発明を形成することができる。
【符号の説明】
【００７４】
１００：スケルチ制御信号検出装置、１０１：抽出手段、１０２：無効ビット期間検出手段、１０３：判定手段、１０７：ビット列生成手段、１１０：エラービット認定手段、１１１：エラービット型判定手段、１１２：無効ビット型判定手段、１１３：シフトレジスタ、１１４：カウンタ、１１５：シフト制御手段、１１６：カウンタ制御手段、１２５：スケルチ制御信号検出装置、１２６：抽出手段、１２７：識別手段、１２８：判定手段、１３３：スケルチ制御信号検出方法、１４０：スケルチ制御信号検出方法。
【図１】
2011176842.tif 000003
【図２】
2011176842.tif 000004
【図３】
2011176842.tif 000005
【図４】
2011176842.tif 000006
【図５】
2011176842.tif 000007
【図６】
2011176842.tif 000008
【図７】
2011176842.tif 000009
【図８】
2011176842.tif 000010
【図９】
2011176842.tif 000011
【図１０】
2011176842.tif 000012
【図１１】
2011176842.tif 000013
【図１２】
2011176842.tif 000014
【図１３】
2011176842.tif 000015
【図１４】
2011176842.tif 000016
【図１５】
2011176842.tif 000017
【図１６】
2011176842.tif 000018
【図１７】
2011176842.tif 000019
【図１８】
2011176842.tif 000020
【手続補正書】
【提出日】平成23年4月15日(2011.4.15)
【手続補正１】
【補正対象書類名】特許請求の範囲
【補正対象項目名】全文
【補正方法】変更
【補正の内容】
【特許請求の範囲】
【請求項１】
検波信号から生成した論理値の列としての検出符号に、所定の待ち受け符号が含まれるか否かを判定する信号検出装置であって、
前記検波信号のうち少なくとも一部の成分を、所定の期間ごとに、ビット判定用しきい値と比較することにより前記検出符号を生成する検出符号生成手段、
前記所定の期間ごとに、前記所定の期間で生成した前記検出信号が有効であるか無効であるかを判定する判定手段、
前記検出符号を論理値ごとに前記待ち受け符号と対比し、前記検出符号生成手段において生成した前記検出符号の論理値と前記待ち受け符号の論理値が異なっている場合、または、前記検出信号の論理値を検出した前記所定の期間が前記無効判定手段において無効であると判定されている場合、前記論理値をエラービットとするエラービット判定手段、及び
前記待ち受け符号に対応する期間の前記検出符号における、前記エラービット判定手段により判定された前記エラービットの割合が、所定値未満の場合には、前記検波信号に前記待ち受け符号が含まれていると判定する信号検出手段、
を有する信号検出装置。
【請求項２】
前記待ち受け符号は、論理”０”または論理”１”からなるビット列であり、
前記検出符号生成手段は、前記所定の期間ごとに前記検波信号のうち少なくとも一部の成分を前記ビット判定用しきい値と比較して、論理”０”または論理”１”からなる論理値の列として検出符号を生成し、
前記判定手段は、前記検波信号のうち少なくとも一部の成分を、前記所定の期間ごとに、前記ビット判定用しきい値を含む所定の範囲を規定する無効判定用しきい値と比較することにより前記所定の期間が有効であるか無効であるかを判定すると共に、前記所定の期間が有効であれば論理”０”とし、前記所定の期間が無効であれば論理”１”とする無効ビット列を生成し、
前記エラービット判定手段は、前記待ち受け符号と前記検出符号の対応ビット同士の排他的論理和を計算して排他的論理和データを生成し、かつ、前記排他的論理和データと前記無効ビット列との論理和を計算し、
前記信号検出手段は論理”１”の数を所定のしきい値と比較することにより、前記待ち受け符号に対応する期間の前記検出符号における前記エラービット判定手段により判定された前記エラービットの割合が所定値未満か否かを判定することを特徴とする請求項１に記載の信号検出装置。
【請求項３】
前記待ち受け符号に対応する期間の、前記判定手段において生成された前記無効ビット列における論理”１”の数が所定値以上の場合には、待ち受け符号が含まれていないと判定する信号検出手段を含む請求項２に記載の制御信号検出装置。
【請求項４】
前記信号検出手段は、前記無効ビットが生成された場合には、前記待ち受け符号に対応する期間における最も古い前記所定の期間の無効ビットと、最新の前記所定の期間の無効ビットのみを用いて、前記無効ビットが所定値以上であるか否かを判定することを特徴とする請求項３に記載の信号検出装置。
【請求項５】
請求項１〜４のいずれかに記載の信号検出装置を装備することを特徴とする無線機。
【請求項６】
検波信号から生成した論理値の列としての検出符号に、所定の待ち受け符号が含まれるか否かを判定する信号検出方法であって、
前記検波信号のうち少なくとも一部の成分を所定の期間ごとに、ビット判定用しきい値と比較することにより前記検出符号を生成する検出符号生成ステップ、
前記所定の期間ごとに、前記所定の期間で生成した前記検出信号が有効であるか無効であるかを判定する判定ステップ、
前記検出符号を論理値ごとに前記待ち受け符号と対比し、前記検出符号生成ステップにおいて生成した前記検出符号の論理値と前記待ち受け符号の論理値が異なっている場合、または、前記検出信号の論理値を検出した前記所定の期間が前記無効判定手段において無効であると判定されている場合、前記論理値をエラービットとするエラービット判定ステップ、及び
前記待ち受け符号に対応する期間の前記検出符号における、前記エラービット判定ステップにより判定された前記エラービットの割合が、所定値未満の場合には、前記検波信号に前記待ち受け符号が含まれていると判定する信号検出ステップ、
を有する信号検出方法。
【手続補正３】
【補正対象書類名】明細書
【補正対象項目名】０００１
【補正方法】変更
【補正の内容】
【０００１】
本発明は、例えばＣＤＣＳＳ（ContiuousDigital-Controlled-Squelch-System）等の信号の有無を検出する装置及び方法に係り、詳しくはノイズからの影響を抑制して信号を正確に検出する信号検出装置、無線機及び信号検出方法に関するものである。
【手続補正４】
【補正対象書類名】明細書
【補正対象項目名】００１２
【補正方法】変更
【補正の内容】
【００１２】
本発明の目的は、変動が真正の信号の変動と紛らわしいノイズが検波信号成分に混入しても、信号の有無を正確に検出する信号検出装置、無線機及び信号検出方法を提供することである。
【手続補正５】
【補正対象書類名】明細書
【補正対象項目名】００１３
【補正方法】変更
【補正の内容】
【００１３】
本発明の信号検出装置は、検波信号から生成した論理値の列としての検出符号に、所定の待ち受け符号が含まれるか否かを判定する信号検出装置であって、次のものを有している。
検波信号のうち少なくとも一部の成分を、所定の期間ごとに、ビット判定用しきい値と比較することにより前記検出符号を生成する検出符号生成手段、
所定の期間ごとに、所定の期間で生成した検出信号が有効であるか無効であるかを判定する判定手段、
検出符号を論理値ごとに待ち受け符号と対比し、検出符号生成手段において生成した検出符号の論理値と前記待ち受け符号の論理値が異なっている場合、または、検出信号の論理値を検出した所定の期間が無効判定手段において無効であると判定されている場合、論理値をエラービットとするエラービット判定手段、及び
前記待ち受け符号に対応する期間の検出符号における、エラービット判定手段により判定されたエラービットの割合が、所定値未満の場合には、検波信号に前記待ち受け符号が含まれていると判定する信号検出手段。
【手続補正６】
【補正対象書類名】明細書
【補正対象項目名】００１４
【補正方法】変更
【補正の内容】
【００１４】
本発明の信号検出装置は好ましくは待ち受け符号は、論理”０”または論理”１”からなる論理値の列であり、
検出符号生成手段は、所定の期間ごとに検波信号のうち少なくとも一部の成分をビット判定用しきい値と比較して、論理”０”または論理”１”からなる論理値の列として検出符号を生成し、
判定手段は、検波信号のうち少なくとも一部の成分を、所定の期間ごとに、ビット判定用しきい値を含む所定の範囲を規定する無効判定用しきい値と比較することにより所定の期間が有効であるか無効であるかを判定すると共に、所定の期間が有効であれば論理”０”とし、所定の期間が無効であれば論理”１”とする無効ビット列を生成し、
エラービット判定手段は、待ち受け符号と検出符号の対応ビット同士の排他的論理和を計算して排他的論理和データを生成し、かつ、排他的論理和データと無効ビット列との論理和を計算し、
信号検出手段は論理”１”の数を所定のしきい値と比較することにより、待ち受け符号に対応する期間の検出符号における前記エラービット判定手段により判定されたエラービットの割合が所定値未満か否かを判定する。
【手続補正７】
【補正対象書類名】明細書
【補正対象項目名】００１５
【補正方法】変更
【補正の内容】
【００１５】
本発明の信号検出装置はさらに好ましくは待ち受け符号に対応する期間の、判定手段において生成された無効ビット列における論理”１”の数が所定値以上の場合には、待ち受け符号が含まれていないと判定する信号検出手段を含む。
【手続補正８】
【補正対象書類名】明細書
【補正対象項目名】００１６
【補正方法】変更
【補正の内容】
【００１６】
本発明の無線機は、前述の信号検出装置を装備する。
【手続補正９】
【補正対象書類名】明細書
【補正対象項目名】００１７
【補正方法】変更
【補正の内容】
【００１７】
本発明の信号検出方法は検波信号から生成した論理値の列としての検出符号に、所定の待ち受け符号が含まれるか否かを判定する信号検出方法であって、次のステップを備えている。
検波信号のうち少なくとも一部の成分を所定の期間ごとに、ビット判定用しきい値と比較することにより検出符号を生成する検出符号生成ステップ、
所定の期間ごとに、所定の期間で生成した検出信号が有効であるか無効であるかを判定する判定ステップ、
検出符号を論理値ごとに待ち受け符号と対比し、検出符号生成ステップにおいて生成した検出符号の論理値と待ち受け符号の論理値が異なっている場合、または、検出信号の論理値を検出した所定の期間が無効判定手段において無効であると判定されている場合、論理値をエラービットとするエラービット判定ステップ、及び
待ち受け符号に対応する期間の検出符号における、エラービット判定ステップにより判定されたエラービットの割合が、所定値未満の場合には、検波信号に待ち受け符号が含まれていると判定する信号検出ステップ。
【手続補正１０】
【補正対象書類名】明細書
【補正対象項目名】００１８
【補正方法】変更
【補正の内容】
【００１８】
本発明によれば、検波信号成分のレベル判定において、” 無効”のレベル範囲を設定し、該検波信号成分が” 無効” のレベル範囲にある場合には、レベル判定を無効として、該検波信号成分からの抽出コードを評価するので、該抽出コードについての誤った評価を抑制することができる。